(57)【要約】【課題】原稿に応じたモード画面を表示して利用者の使い勝手を向上させる画像形成装置、動作モード選択方法及びプログラムを提供する。【解決手段】複数の動作モードに対応するモード画面を表示する表示部と、前記動作モードを実行させる指示を利用者が入力するための指示入力部と、画像形成装置の周囲を撮像したデータ又は前記周囲をスキャンしたデータを取得するデータ取得部と、前記データ取得部が取得したデータに基づいて、利用者の持ち物を認識する認識部と、前記認識された利用者の持ち物に基づいて、利用者の実行が予想される動作モードに対応するモード画面を前記表示部に表示し、前記指示入力部に入力された指示に応じた動作を実行する制御部とを備える画像形成装置。【選択図】図１
2020144214.tif 000002
【特許請求の範囲】
【請求項１】
複数の動作モードに応じた画像形成が可能な画像形成装置において、
前記動作モードに対応するモード画面を表示する表示部と、
前記動作モードを実行させる指示を利用者が入力するための指示入力部と、
画像形成装置の周囲を撮像したデータ又は前記周囲をスキャンしたデータを取得するデータ取得部と、
前記データ取得部が取得したデータに基づいて、利用者の持ち物を認識する認識部と、
前記認識された利用者の持ち物に基づいて、利用者の実行が予想される動作モードに対応するモード画面を前記表示部に表示し、前記指示入力部に入力された指示に応じた動作モードを実行する制御部とを備えることを特徴とする画像形成装置。
【請求項２】
前記認識部は、前記データ取得部が取得したデータに基づき利用者の持ち物と利用者が画像形成装置の前にいることとを認識し、
前記認識部によって利用者が画像形成装置の前に一定時間以上居ることが認識された場合、前記制御部は、認識された利用者の持ち物に基づいて、利用者の実行が予想される動作モードに対応するモード画面を前記表示部に表示することを特徴とする請求項１に記載の画像形成装置。
【請求項３】
前記認識部が認識した利用者の持ち物が１枚又は複数枚のシートである場合に、前記制御部が前記表示部に表示するモード画面は、利用者の実行が予想される動作モードに関連する項目のユーザーインターフェイスを表示するものであることを特徴とする請求項１又は２に記載の画像形成装置。
【請求項４】
前記認識部が認識した利用者の持ち物が厚さのある書籍又はページを開いた書籍であると認識した場合に、前記制御部が前記表示部に表示するモード画面は、利用者の実行が予想される動作モードに関連する項目のユーザーインターフェイスを表示するものであることを特徴とする請求項１又は２に記載の画像形成装置。
【請求項５】
シートを自動的に送る自動送り機構と、前記自動送り機構へのシートの設置を検出する検出部とをさらに備えており、
前記制御部は、前記自動送り機構へのシートの設置を前記検出部が検出した場合、前記自動送り機構の動作モードに関連する項目のユーザーインターフェイスをモード画面として前記表示部に表示することを特徴とする請求項１又は２に記載の画像形成装置。
【請求項６】
複数の動作モードに応じた画像形成が可能な画像形成装置の動作モード選択方法において、
前記動作モードに対応するモード画面を表示部に表示するモード画面表示行程と、
前記動作モードを実行させる指示を利用者に入力させるための指示入力工程と、
画像形成装置の周囲を撮像したデータ又は前記周囲をスキャンしたデータを取得するデータ取得工程と、
前記取得したデータを解析することにより利用者の持ち物を認識する認識工程と、
前記認識された利用者の持ち物に基づいて、利用者の実行が予想される動作モードに対応するモード画面を前記表示部に表示し、前記指示入力部に入力された指示に応じた動作モードを実行する制御工程とを有することを特徴とする画像形成装置の動作モード選択方法。
【請求項７】
複数の動作モードに応じた画像形成をする画像形成装置のコンピュータに、
前記動作モードに対応するモード画面を表示部に表示させるモード画面表示機能と、
前記動作モードを実行させる指示を利用者が入力するための指示入力機能と、
画像形成装置の周囲を撮像したデータ又は前記周囲をスキャンしたデータを取得するデータ取得機能と、
前記取得したデータを解析することにより利用者の持ち物を認識する認識機能と、
前記認識された利用者の持ち物に基づいて、利用者の実行が予想される動作モードに対応するモード画面を前記表示部に表示し、前記指示入力機能によって入力された指示に応じた動作モードを実行する制御機能とを実現させるためのプログラム。
【発明の詳細な説明】
【技術分野】
【０００１】
本発明は、画像形成装置、動作モード選択方法及びプログラムである。
【背景技術】
【０００２】
従来、複数の動作モードを有する画像形成装置が知られている。動作モードは、コピーモード、スキャナモード、プリントモード等がある。画像形成装置を使用する際に、利用者は動作モードを選択する操作を行う。
【０００３】
特許文献１においては、動作モードの選択に関して、動作モードに応じたモード画面を表示する表示部と、ログイン後に動作モードが未選択の状態において、原稿検出部により原稿が検出されると、利用者による複数の動作モードの累積使用回数を用いて、複数の動作モードから予測モードを決定して予測モードに応じた画面を表示部に表示させて予測モードを実行可能にする制御部とを設けた画像形成装置が示されている。
【先行技術文献】
【特許文献】
【０００４】
【特許文献１】特開２０１３−１５７８８０号公報
【発明の概要】
【発明が解決しようとする課題】
【０００５】
しかしながら、前述の画像形成装置では、予測モードが動作モードの累積使用回数に対応するだけであり、原稿に応じたモード画面が表示されていなかった。利用者は原稿に応じたモード画面を表示させる操作に手間がかかるものであった。
【０００６】
本発明は、斯かる実情に鑑み、利用者の持ち物に応じたモード画面を表示して利用者の使い勝手を向上させる画像形成装置、画像形成装置の動作モード選択方法、及びプログラムを提供しようとするものである。
【課題を解決するための手段】
【０００７】
本発明の画像形成装置は、複数の動作モードに応じた画像形成が可能な画像形成装置において、
前記動作モードに対応するモード画面を表示する表示部と、
前記動作モードを実行させる指示を利用者が入力するための指示入力部と
画像形成装置の周囲を撮像したデータ又は前記周囲をスキャンしたデータを取得するデータ取得部と、
前記データ取得部が取得したデータに基づいて、利用者の持ち物を認識する認識部と、
前記認識された利用者の持ち物に基づいて、利用者の実行が予想される動作モードに対応するモード画面を前記表示部に表示し、前記指示入力部に入力された指示に応じた動作を実行する制御部とを備えることを特徴とする画像形成装置である。
【０００８】
本発明は、複数の動作モードに応じた画像形成が可能な画像形成装置の動作モード選択方法において、
前記動作モードに対応するモード画面を表示部に表示するモード画面表示行程と、
前記動作モードを実行させる指示を利用者に入力させるための指示入力工程と、
画像形成装置の周囲を撮像したデータ又は前記周囲をスキャンしたデータを取得するデータ取得工程と、
前記取得したデータに基づいて、利用者の持ち物を認識する認識工程と、
前記認識された利用者の持ち物に基づいて、利用者の実行が予想される動作モードに対応するモード画面を前記表示部に表示し、前記指示入力部に入力された指示に応じた動作モードを実行する制御工程とを有することを特徴とする画像形成装置の動作モード選択方法である。
【０００９】
本発明のプログラムは、複数の動作モードに応じた画像形成をする画像形成装置のコンピュータに、
前記動作モードに対応するモード画面を表示部に表示させるモード画面表示機能と、
前記動作モードを実行させる指示を利用者に入力させるための指示入力機能と、
画像形成装置の周囲を撮像したデータ又は前記周囲をスキャンしたデータを取得するデータ取得機能と、
取得したデータを解析することにより利用者の持ち物を認識する認識機能と、
前記認識された利用者の持ち物に基づいて、利用者の実行が予想される動作モードに対応するモード画面を前記表示部に表示し、前記指示入力部に入力された指示に応じた動作を実行する制御機能とを実現させるためのプログラムである。
【発明の効果】
【００１０】
本発明の画像形成装置、動作モード選択方法及びプログラムによれば、複数の動作モードに対応するモード画面を表示部に表示し、画像形成装置の周囲を撮像したデータ又は前記周囲をスキャンしたデータを取得し、取得したデータを解析することにより利用者の持ち物を認識し、前記認識された利用者の持ち物に基づいて、利用者の実行が予想される動作モードに対応するモード画面を前記表示部に表示し、前記指示入力部に入力された指示に応じた動作を実行するので、利用者の使い勝手を向上させることができるという優れた効果を奏し得る。
【図面の簡単な説明】
【００１１】
【図１】本発明の実施形態に係る画像形成装置の外観説明図である。
【図２】画像形成装置の制御系を示すブロック図である。
【図３】画像形成装置の制御手順を説明するフローチャートである。
【図４】画像形成装置の操作画面の説明図であり、(ａ)が初期画面、（ｂ）ユーザーが１枚又は複数の紙（シート）を持つと判断した場合の操作画面例の説明図である。
【図５】操作画面の他の説明図であり、(ａ)が初期画面、（ｂ）ユーザーが厚い本を持つと判断した場合の操作画面例の説明図である。
【図６】操作画面の他の説明図であり、(ａ)が初期画面、（ｂ）ユーザーが原稿の自動送り機構(ADF)に原稿を置いたと判断した場合の操作画面例の説明図である。
【発明を実施するための形態】
【００１２】
以下、本発明の実施形態について、添付図面を参照して説明する。
【００１３】
図１は、本発明の実施形態に係る画像形成装置の外観説明図、図２が画像形成装置の制御系を示すブロック図、図３が画像形成装置の制御手順を説明するフローチャートである。図４〜図６が画像形成装置の操作画面の説明図である。
【００１４】
まず、画像形成装置１の全体構成について説明する。
画像形成装置１は、外部から伝達される画像データに応じて所定のシート（記録用紙，記録媒体）に画像を形成するものである。
【００１５】
画像形成装置１は、図１に示すように、主に、本体装置である電子写真プロセス部（図示省略）を備えた画像形成処理部３と、操作パネル１０とスキャナユニット（図示省略）を備えた画像読み取部２とを備えて構成されている。
【００１６】
原稿画像を画像読み取部２のスキャナユニットで読み取ることにより得られた画像データは、各種処理が施され、処理後、メモリ（図２に示す画像データ記憶部２１）に一旦記憶され、出力指示に応じてメモリから画像データを画像形成処理部３に出力して、感光体ドラム（図示省略）上に可視画像として再現した後、用紙上に画像を転写してトナー像を形成する。
【００１７】
画像形成処理部３内には、黒色やカラーのトナーカートリッジ６０が収容されている。
【００１８】
なお、画像形成処理の際の各種設定は設定データ記憶部３５に記憶される。
【００１９】
画像形成処理部３は、開閉する外カバー３ａを備え、外カバー３ａの開閉状態を検出する図示されない開閉センサが設けられている。
【００２０】
画像形成処理部３に隣接して用紙を供給する給紙部４が構成されている。
【００２１】
給紙部４は、第１〜３カセット３１，３２，３３、さらにオプションとして大容量カセット３４を有している。
【００２２】
画像読み取部２と画像形成処理部３の間には排紙トレイ５１が形成されている。画像形成処理部３に隣接して後処理装置５が構成されている。後処理装置５には、第１排紙トレイ５２，第２排紙トレイ５３が設けられている。
【００２３】
操作パネル１０は、表面の中央部に動作モードに対応するモード画面を表示する表示部１１と、利用者が動作モードにおける処理を選択した際に選択した動作モードを実行させる指示を入力するためのスイッチ等からなる入力部（「指示入力部」に相当）１２とが設けられる。
【００２４】
実施形態において、操作パネル１０に、液晶表示パネル等の表示機構を備えた表示部１１と、表示部１１の表面に入力スイッチの機能を備えた入力部１２（１２Ａ…）とを有する。入力スイッチの機能を実現するため、表示部１１の表面は感圧式や静電容量式等のタッチパネルのスイッチ構造を持つ。なお、表示部１１に設ける入力部１２は、表示部１１の表面にスイッチ機能を有する構成とする他、表示部１１以外の部分に一部又は全部のスイッチ構造を設けたものでもよい。
【００２５】
実施形態の画像形成装置は、図２に示すような制御系を有する。
【００２６】
図２に示すように、画像形成装置は、画像データを読み取る画像読み取部２と、複数の動作モードから選択された動作モードに応じて画像形成をする画像形成処理部３とを備え、動作モードに対応する操作画面（モード画面）を表示する表示部（モード画面表示部）１１と、動作モードを実行させる指示を利用者に入力させるため操作パネル１０の表面に設けられた入力部（指示入力部）１２と、画像形成装置の周囲を撮像したデータ又は前記周囲をスキャンしたデータを取得するデータ取得部１４と、データ取得部１４が取得したデータを解析することにより利用者の持ち物を認識する認識部６１と、前記認識された利用者の持ち物に基づいて、利用者の実行が予想される動作モードに対応するモード画面を前記表示部１２に表示し、前記指示入力部に入力された指示に応じた動作を実行する制御部６３とを、を備えたものである。
【００２７】
画像形成装置は、外部との間で通信回線を通じてデータを入力・出力する通信部６４を備える。通信部６４を介して、外部からの利用者の撮像画像をデータ取得部１４に入力可能になっている。
【００２８】
画像読み取部２は、複数枚の原稿を連続的に読み取るために原稿の自動送り機構（ＡＤＦ）６５と、自動送り機構６５上に原稿が載置されたことを検出する原稿検出部６６とを備える。原稿検出部６６で原稿が検出されたことを条件に原稿の読み取りを開始する。読み取った原稿の画像データは、コピー時にその画像データに基づき印刷処理する他、画像データ記憶部２１に格納可能である。
【００２９】
データ取得部１４は、部屋に設置されている監視カメラの撮像データ、あるいは、レーザーの反射波等を利用した３次元センサのスキャンデータを入力する。データの入力は、監視カメラの撮影画像データを通信部６４に通信回線を介して入力してもよい。また、３次元センサは画像形成装置の前面に設置したものや、室内に別体に設置したものなどを種々に使用できる。
【００３０】
認識部６１は、データ取得部１４から入力された撮像データ又はスキャンデータを解析してユーザーの持ち物を認識する。利用者の持ち物を解析して認識するため技術は、物認証や顔認証等の、各種の画像認識技術（各種の人工知能（ＡＩ）や深層学習による技術等）を用いることができる。
【００３１】
本実施形態では、格納またはサーバー上のプログラム等によって制御部６３が、複数の動作モードに応じた画像形成をする画像形成装置のコンピュータに、複数の動作モードに対応するモード画面を表示部１１に表示させるモード画面表示機能と、動作モードを実行させる指示を利用者に入力させるための指示入力機能と、画像形成装置の周囲を撮像したデータ又は前記周囲をスキャンしたデータを取得するデータ取得機能と、取得したデータを解析することにより利用者の持ち物を認識する認識機能と、認識された利用者の持ち物に基づいて、利用者の実行が予想される動作モードに対応するモード画面を前記表示部１１に表示し、前記指示入力部に入力された指示に応じた動作を実行する制御機能とを実現する。
【００３２】
さらに具体的には、図３は、画像形成装置の制御手順のフローチャートである。各ステップは、Ｓ１０１〜と表記する。また、図４〜図６は、表示部１１が表示する、動作モードに対応する操作画面（モード画面）の表示例である。
【００３３】
画像形成装置は、実施形態では、コピー機、プリンタ、スキャナ、ファクシミリ等の機能を有する複合機である。
【００３４】
また表示部１１では、操作画面（モード画面）を表示する前は、図４〜図６の各（ａ）に示すような初期画面を表示する。入力部１２は、実線で囲まれた各領域がスイッチ（符号１２Ａ等）の機能がある。
【００３５】
入力部１２において。初期画面は、スイッチ１２Ａが「コピー」、スイッチ１２Ｂが「スキャン」、スイッチ１２Ｃが「Ｅ−Ｍａｉｌ（電子メール）」、スイッチ１２Ｄが「ドキュメントファイリング」の各操作用のスイッチである。スイッチ１２Ｅ、１２Ｆが左、右への選択スイッチを有したものである。
【００３６】
また、制御部６３は各動作モードが変わる際に、表示部１１に表示する操作画面（モード画面）が図４〜図６の各（ａ）に示す初期画面から図４（ｂ）〜図６（ｂ）に操作画面（モード画面）に変える。図４（ｂ）は、認識部６１が利用者の持ち物が１枚又は複数枚のシートであると認識した場合に、認識された利用者の持ち物に基づいて、利用者の実行が予想される動作モードに対応する項目のユーザーインターフェイス（ＵＩ）を表示するモード画面である。図５（ｂ）は、認識部６１が利用者の持ち物が厚さのある書籍又はページを開いた書籍であると認識した場合に、認識された利用者の持ち物に基づいて、利用者の実行が予想される動作モードに対応する項目のユーザーインターフェイス（ＵＩ）を表示するモード画面である。図６（ｂ）が、紙類の自動送り機構６５にシートが設置されたことを原稿検出部６６が検出した場合、前記自動送り機構の動作モードに関連する項目のユーザーインターフェイス（ＵＩ）が表示されるモード画面である。
【００３７】
図３に示すフローチャートにおいて、まず、画像形成層に、電源が投入されて立ち上がった後、表示部１１は、初期操作画面を表示する（ステップＳ１０１）。初期操作画面は、各操作画面（モード画面）に移行する前のデフォルトの画面である。図４〜図６の各（ａ）に示すように、初期操作画面では、処理モードを利用者が選択できるように、表示部１１の領域において、区切られて各領域（スイッチ１２Ａ等）がタッチパネル式のユーザーインターフェイス（ＵＩ）になっている。
【００３８】
次いで、画像形成装置の周囲の撮像データ又はスキャンしたデータを取得する（Ｓ１０２）。
【００３９】
入力された撮像データ又はスキャンデータを画像解析して、利用者の持ち物を認識する（Ｓ１０３）。
【００４０】
解析の結果に基づき、認識部６１が利用者の持ち物を認識したか否かを判定する（Ｓ１０４）。
【００４１】
利用者の持ち物を認識しなければ（Ｓ１０４：Ｎｏ）、Ｓ１０１に戻り、初期操作画面の表示を続ける。
【００４２】
一方、利用者の持ち物を認識したならば（Ｓ１０４：Ｙｅｓ）、認識部６１は、認識した利用者の持ち物が１枚又は複数枚のシートであるか否かを判定する（Ｓ１０５）。
【００４３】
判定結果が正であるならば（Ｓ１０５：Ｙｅｓ）、紙に関連する項目のＵＩ（ユーザーインターフェイス）の操作画面（モード画面）を優先して表示部１１上に表示する（Ｓ１０６）。表示部１１は、図４（ａ）の初期画面から、図４（ｂ）に示すように、片面／両面印刷又は横綴じ／縦綴じを選択する動作モードの操作画面（モード画面）を表示する。
【００４４】
詳しくは、表示部１１は、動作モードの設定を入力する各領域（スイッチ１２Ａ等）が画面に表示される。表示部１１表面の入力部１２がタッチパネル式スイッチである。入力部１２について、表示されたスイッチの各領域に対応する箇所を手指で押圧又は接触すれば、利用者が所望する指示を入力できるユーザーインターフェイス（ＵＩ）の構成を有している。
【００４５】
入力部１２の具体的なユーザーインターフェイスは、原稿の状態を設定する原稿スイッチ領域７０Ａと、コピー（印刷）の状態の設定を指示するコピースイッチ領域７０Ｂと、印刷枚数等を設定する編集設定スイッチ領域７０Ｃとを有する。原稿スイッチ領域７０Ａは、原稿の向きを指示するスイッチ（：縦向き７０ａ、横向き７０ｂ）、綴じ方向を指示するスイッチ（横綴じ７０ｃ、縦綴じ７０ｄ）がある。
【００４６】
コピースイッチ領域７０Ｂは、例えば両面コピーにおける各種指示のスイッチ（片面原稿から片面コピー、片面原稿から両面コピー、両面原稿から両面コピー、両面原稿から片面コピー）７０ｅ、綴じ方向の指示スイッチ（横綴じ、縦綴じ）７０ｆである。編集設定スイッチ領域７０Ｃは、「コピー枚数」、「ソート」、「倍率」、「ページ集約」、初期画面に戻る「ホーム」の「リセットスイッチ」、コピー色を設定する「カラー」、「白黒」の各スイッチを有している。
【００４７】
表示部１１に表示されている操作画面に対して利用者から入力部１２の何れかのスイッチ（ＵＩ）に入力されるまで待機する（Ｓ１０７）。
【００４８】
入力部１２のへの操作入力があった場合、対応した処理を行う（Ｓ１０８）。
【００４９】
Ｓ１０９の判定結果が正であれば、表示部１１は、図５（ａ）の初期画面から、図５（ｂ）に示すように、厚さある本に関連する動作モードの操作画面（モード画面）を表示する。
【００５０】
詳しくは、表示部１１の操作画面を表示した領域は、図５（ｂ）に示すように、入力部１２のユーザーインターフェイス（ＵＩ）の構成を有しているので、該当箇所を手指で押圧又は接触すれば利用者が所望する指示を入力できる。
【００５１】
入力部１２は、読み取った厚い本の画像について枠消去設定スイッチ領域７２Ａと、原稿サイズを設定する原稿設定スイッチ領域７２Ｂと、印刷枚数等を設定する編集設定スイッチ領域７２Ｃとを有する。
【００５２】
枠消去設定スイッチ領域７２Ａは、外枠を設定するスイッチ７２Ａ１と、外枠＋センターを設定するスイッチ７２Ａ２と、外枠のサイズを設定するスイッチ７２Ａ３と、センターのサイズを設定するスイッチ７２Ａ４とを備えている。
【００５３】
原稿設定スイッチ領域７２Ｂは、原稿サイズが例えばＪＩＳ（日本工業規格）の「Ａ３」サイズ、「Ａ４」サイズ、「Ｂ４」サイズ、「Ｂ５」サイズに対応可能になっている。
【００５４】
編集設定スイッチ領域７２Ｃは、「コピー枚数」、「ステープル処理」、「濃度調整」、「排紙トレイ」、初期画面に戻る「ホーム」の「リセットスイッチ」、コピー色を設定する「カラー」、「白黒」の各スイッチを有している。
【００５５】
その後、Ｓ１０７に進んで、表示部１１に表示されている操作画面に対して利用者から入力部１２の何れかのスイッチ（ＵＩ）に入力されるまで待機し、入力があったならば入力に従った処理を行う（Ｓ１０８）。
【００５６】
さらに、Ｓ１０９の判定結果が否であれば、原稿検出部６６が自動送り機構６５に原稿を置かれたことを検出したか否かを判定する（Ｓ１１１）。
【００５７】
Ｓ１１１の判定結果が正で、自動送り機構６５に原稿が載置されたことを検出した場合、（Ｓ１１１：Ｙｅｓ）、原稿自動送り機構に関連する項目のＵＩ（ユーザーインターフェイス）の操作画面（モード画面）を優先して表示部１１上に表示する（Ｓ１１２）。この場合、表示部１１は、図６（ａ）の初期画面から、図６（ｂ）に示すように、原稿自動送りに関連する動作モードの操作画面（モード画面）を表示する。
【００５８】
詳しくは、表示部１１の操作画面を表示した領域は、図６（ｂ）に示すように、入力部１２のユーザーインターフェイス（ＵＩ）の構成を有しているので、該当箇所を手指で押圧又は接触すれば利用者が所望する指示を入力できる。
【００５９】
入力部１２は、原稿のソート関連のソートスイッチ領域７４Ａと、コピースイッチ領域７４Ｂと、編集設定スイッチ領域７４Ｃとを有している。
【００６０】
ソートスイッチ領域７４Ａでは、「自動」、「ソート」、「グループ」の各スイッチがある。
【００６１】
コピースイッチ領域７４Ｂでは、例えば両面コピーにおける各種指示のスイッチ（片面原稿から片面コピー、片面原稿から両面コピー、両面原稿から両面コピー、両面原稿から片面コピー）７４Ｂ１、綴じ方向の指示スイッチ（横綴じ、縦綴じ）７４Ｂ２である。
【００６２】
編集設定スイッチ領域７４Ｃは、「コピー枚数」、「原稿向き」、「倍率」、「濃度調整」、初期画面に戻る「ホーム」の「リセットスイッチ」、コピー色を設定する「カラー」、「白黒」の各スイッチを有している。
【００６３】
表示部１１に表示されている操作画面に対して利用者から入力部１２の何れかのスイッチ（ＵＩ）に入力（指示入力）があるまで待機する（Ｓ１０７）。入力があったならば入力に従った処理を行う（Ｓ１０８）。
【００６４】
自動送り機構６５に原稿が載置されない場合は、Ｓ１０１に戻って、初期操作画面を表示する。
【００６５】
実施形態の画像形成装置によれば、複数の動作モードに対応するモード画面を表示部１１に表示し、画像形成装置の周囲を撮像したデータ又は前記周囲をスキャンしたデータを取得し、取得したデータを解析することにより利用者の持ち物を認識部６１が認識し、認識された利用者の持ち物に基づいて、利用者の実行が予想される動作モードに対応するモード画面を表示部１１に表示し、指示入力部１２に入力された指示に応じた動作モードを実行するので、利用者の持ち物に応じたモード画面を表示するので利用者の使い勝手を向上させることができるという優れた効果を奏し得る。
【００６６】
本発明は、前記実施形態に限定されず本発明の範囲内で変形実施できる。
図３に示した、ユーザーの認識に関するＳ１０４において、データ取得部１４からのデータに基づき利用者が画像形成装置の前に一定時間以上いることを条件に、認識部６１の認識をさせるものにできる。単に利用者が通り過ぎただけでは入力部１２の操作がされない可能性が高いので表示部１１の画面を切り替えても、不要であり制御や電力が無駄になる。一方、利用者が一定時間以上の間、画像形成装置の前にいれば、入力部１２を操作する可能性が高く、画面の切り替えの必要性が高いので無駄なく適切な表示が可能となる。
【００６７】
利用者が単に通り過ぎる場合にまで、表示部１１の動作モードの表示を変化させたのでは、画面が不必要な変化することになり制御部６３のＣＰＵが演算する際の制御リソースや電力を無駄に消費することになるが、利用者が画像形成装置の前に一定時間居ることを条件にして表示部１１の動作モードを変化させれば、そのような制御リソースの無駄な消費がなくなり、省エネルギーにもなる作用効果を奏する。
【産業上の利用可能性】
【００６８】
本発明は複写機、複合機等の画像形成装置に利用することができる。
【符号の説明】
【００６９】
１  画像形成装置
２  画像読み取部
３  画像形成処理部
１０  操作パネル
１１  表示部
１２  入力部
１２Ａ〜１２Ｅ  スイッチ
１４  データ取得部
２１  画像データ記憶部
３５  設定データ記憶部
６１  認識部
６３  制御部
６４  通信部
６５  自動送り機構
６６  原稿検出部
７０Ａ  原稿スイッチ領域
７０Ｂ  コピースイッチ領域
７０Ｃ  編集設定スイッチ領域
７２Ａ  枠消去設定スイッチ領域
７２Ｂ  原稿設定スイッチ領域
７２Ｃ  編集設定スイッチ領域
７４Ａ  ソートスイッチ領域
７４Ｂ  コピースイッチ領域
７４Ｃ  編集設定スイッチ領域
【図１】
2020144214.tif 000003
【図２】
2020144214.tif 000004
【図３】
2020144214.tif 000005
【図４】
2020144214.tif 000006
【図５】
2020144214.tif 000007
【図６】
2020144214.tif 000008